(57)【要約】  パケットストリームの階層的ブロック符号化方法は、パケット誤り訂正符号を当該パケットストリームの各パケットに付加するステップと、ブロック誤り訂正符号を当該パケットストリームの複数のパケットからなる連続したブロックに付加するステップより構成される。その後、当該パケットストリームは通信チャンネルを介し送信される。各ブロック誤り訂正符号に応答し、パケットの各ブロックにおける誤りが訂正され、各パケット誤り訂正符号に応答し、各ブロックの各パケットにおける誤りが訂正される。
2005512352.tif 000002
【特許請求の範囲】
【請求項１】
パケットベース通信システムにおける階層的ブロック符号化システムであって：
デジタルデータソース；
前記デジタルデータソースに接続され、各々がデータ及びパケット誤り訂正符号を含む連続した複数のパケットを生成するパケットエンコーダ；
前記パケットエンコーダに接続され、ブロック誤り訂正符号を複数のパケットからなるブロックに連続的に付加するブロックエンコーダ；
前記ブロックエンコーダに接続され、各ブロック誤り訂正符号に応答し、パケットの各ブロックにおける誤りを訂正するブロックデコーダ；及び
前記ブロックデコーダに接続され、各パケット誤り訂正符号に応答し、各パケットにおける誤りを訂正するパケットデコーダ；
からなることを特徴とするシステム。
【請求項２】
請求項１記載の階層的ブロック符号化システムであって、さらに、前記ブロックエンコーダと前記ブロックデコーダに接続され、パケットの連続するブロックと前記付加されたブロック誤り訂正符号を送信する通信チャンネルを備えることを特徴とするシステム。
【請求項３】
請求項２記載の階層的ブロック符号化システムであって、前記通信チャンネルは、前記送信されたパケットのブロックと前記付加されたブロック誤り訂正符号に誤りを導入するか、あるいはパケットを消失することを特徴とするシステム。
【請求項４】
請求項１記載の階層的ブロック符号化システムであって、各ブロックは固定数のパケットを含むことを特徴とするシステム。
【請求項５】
請求項４記載の階層的ブロック符号化システムであって、前記固定数は７であることを特徴とするシステム。
【請求項６】
請求項１記載の階層的ブロック符号化システムであって、各パケットはデータフィールドとパケット誤り訂正符号フィールドに分割される固定長を有することを特徴とするシステム。
【請求項７】
請求項６記載の階層的ブロック符号化システムであって、各ブロックは固定数のパケットを含むことを特徴とするシステム。
【請求項８】
請求項６記載の階層的ブロック符号化システムであって、前記固定長は２０４バイトであり、前記データフィールドは１８８バイトであり、前記パケット誤り訂正符号フィールドは１６バイトであることを特徴とするシステム。
【請求項９】
請求項８記載の階層的ブロック符号化システムであって、前記パケット誤り訂正符号はリードソロモン（２０４，１８８）コードであることを特徴とするシステム。
【請求項１０】
請求項８記載の階層的ブロック符号化システムであって、各ブロックは７個のパケットを含むことを特徴とするシステム。
【請求項１１】
請求項１０記載の階層的ブロック符号化システムであって、前記パケット誤り訂正符号はリードソロモン（２０４，１８８）コードであり、前記ブロック誤り訂正符号はリードソロモン（１５００，１４３６）コードであることを特徴とするシステム。
【請求項１２】
パケットベース通信送信機における階層的ブロック符号化システムであって：
デジタルデータソース；
前記デジタルデータソースに接続され、各々がデータ及びパケット誤り訂正符号を含む連続した複数のパケットを生成するパケットエンコーダ；及び
前記パケットエンコーダに接続され、ブロック誤り訂正符号を複数のパケットからなるブロックに連続的に付加するブロックエンコーダ；
からなることを特徴とするシステム。
【請求項１３】
請求項１２記載の階層的ブロック符号化システムであって、前記ブロックエンコーダは通信チャンネルに接続されることを特徴とするシステム。
【請求項１４】
請求項１２記載の階層的ブロック符号化システムであって、各ブロックは固定数のパケットを含むことを特徴とするシステム。
【請求項１５】
請求項１４記載の階層的ブロック符号化システムであって、前記固定数は７であることを特徴とするシステム。
【請求項１６】
請求項１２記載の階層的ブロック符号化システムであって、各パケットはデータフィールドとパケット誤り訂正符号フィールドに分割される固定長を有することを特徴とするシステム。
【請求項１７】
請求項１６記載の階層的ブロック符号化システムであって、各ブロックは固定数のパケットを含むことを特徴とするシステム。
【請求項１８】
請求項１６記載の階層的ブロック符号化システムであって、前記固定長は２０４バイトであり、前記データフィールドは１８８バイトであり、前記パケット誤り訂正符号フィールドは１６バイトであることを特徴とするシステム。
【請求項１９】
請求項１８記載の階層的ブロック符号化システムであって、前記パケット誤り訂正符号はリードソロモン（２０４，１８８）コードであることを特徴とするシステム。
【請求項２０】
請求項１８記載の階層的ブロック符号化システムであって、各ブロックは７個のパケットを含むことを特徴とするシステム。
【請求項２１】
請求項２０記載の階層的ブロック符号化システムであって、前記パケット誤り訂正符号はリードソロモン（２０４，１８８）コードであり、前記ブロック誤り訂正符号はリードソロモン（１５００，１４３６）コードであることを特徴とするシステム。
【請求項２２】
パケットベース通信受信機における階層的ブロック復号化システムであって：
各パケットがデータフィールド及びパケット誤り訂正符号フィールドを含み、各々が付加されたブロック誤り訂正符号を有する複数のパケットからなる連続したブロックを受信することができる入力端末；
前記入力端末に接続され、各ブロック誤り訂正符号に応答し、パケットの各ブロックにおける誤りを訂正するブロックデコーダ；及び
前記ブロックデコーダに接続され、各パケット誤り訂正符号に応答し、各パケットにおける誤りを訂正するパケットデコーダ；
からなることを特徴とするシステム。
【請求項２３】
請求項２２記載の階層的ブロック復号化システムであって、前記入力端末は通信チャンネルに接続されていることを特徴とするシステム。
【請求項２４】
請求項２２記載の階層的ブロック復号化システムであって、各ブロックは固定数のパケットを含むことを特徴とするシステム。
【請求項２５】
請求項２４記載の階層的ブロック復号化システムであって、各ブロックは７個のパケットを含むことを特徴とするシステム。
【請求項２６】
請求項２２記載の階層的ブロック復号化システムであって、各パケットはデータフィールドとパケット誤り訂正符号フィールドに分割される固定長を有することを特徴とするシステム。
【請求項２７】
請求項２６記載の階層的ブロック復号化システムであって、各ブロックは固定数のパケットを含むことを特徴とするシステム。
【請求項２８】
請求項２６記載の階層的ブロック復号化システムであって、前記固定長は２０４バイトであり、前記データフィールドは１８８バイトであり、前記パケット誤り訂正符号フィールドは１６バイトであることを特徴とするシステム。
【請求項２９】
請求項２８記載の階層的ブロック復号化システムであって、前記パケット誤り訂正符号はリードソロモン（２０４，１８８）コードであることを特徴とするシステム。
【請求項３０】
請求項２８記載の階層的ブロック復号化システムであって、各ブロックは７個のパケットを含むことを特徴とするシステム。
【請求項３１】
請求項３０記載の階層的ブロック復号化システムであって、前記パケット誤り訂正符号はリードソロモン（２０４，１８８）コードであり、前記ブロック誤り訂正符号はリードソロモン（１５００，１４３６）コードであることを特徴とするシステム。
【請求項３２】
パケットストリームの階層的ブロック符号化方法であって：
パケット誤り訂正符号を前記パケットストリームの各パケットに付加するステップ；
ブロック誤り訂正符号を前記パケットストリームの連続する複数のパケットからなるブロックに付加するステップ；
各ブロック誤り訂正符号に応答し、パケットの各ブロックにおける誤りを訂正するステップ；及び
各パケット誤り訂正符号に応答し、各ブロックの各パケットにおける誤りを訂正するステップ；
からなることを特徴とする方法。
【請求項３３】
階層的ブロック符号化されたパケットストリームの送信方法であって：
パケット誤り訂正符号を前記パケットストリームの各パケットに付加するステップ；
ブロック誤り訂正符号を前記パケットストリームの連続する複数のパケットならからなるブロックに付加するステップ；及び
前記誤り訂正された複数のパケットからなるブロックを送信するステップ；
からなることを特徴とする方法。
【請求項３４】
階層的ブロック符号化されたパケットストリームの受信方法であって：
各々が関連するパケット誤り訂正符号を有する複数のブロックからなる各々が関連するブロック誤り訂正符号を有する複数の誤り訂正されたブロックのストリームを受信するステップ；
前記ブロック誤り訂正符号に応答し、パケットの各ブロックにおける誤りを訂正するステップ；及び
前記パケット誤り訂正符号に応答し、各ブロックの各パケットにおける誤りを訂正するステップ；
からなることを特徴とする方法。
【発明の詳細な説明】
【発明の詳細な説明】
【０００１】
［発明の技術分野］
本発明は、信頼性向上のための誤り訂正符号化を有するパケットベース通信システムに関する。
［発明の背景］
デジタル信号の送信のため、パケットベース通信システムが開発されてきた。通信システムには、通信チャンネルにノイズが含まれ、パケットにエラーを生じさせることによって、通信の信頼性を低減させるものもある。また、インターネットのような通信システムでは、通信チャンネルがパケットごと消失させてしまう場合もある。このような通信システムの信頼性を向上させるシステムの開発が進められてきた。
【０００２】
これら開発されたシステムには、エラー検出及び訂正機構が含まれている。例えば、Ｔｒａｎらによる１９９７年１０月１４日発行の米国特許第５，６７７，９１８号「パケットスイッチ通信システムにおける効率的な誤り訂正方法及び装置（ＭＥＴＨＯＤ  ＡＮＤ  ＤＥＶＩＣＥ  ＦＯＲ  ＥＦＦＩＣＩＥＮＴ  ＥＲＲＯＲ  ＣＯＲＲＥＣＴＩＯＮ  ＩＮ  Ａ  ＰＡＣＫＥＴ−ＳＷＩＴＣＨＥＤ  ＣＯＭＭＵＮＩＣＡＴＩＯＮ  ＳＹＳＴＥＭ）では、データパケットが複数のセグメントに分割されるパケットスイッチ通信システムが開示されている。各セグメントにおいて第１誤り検出符号が生成され、パケット全体において第２誤り検出符号が生成される。その後、パケットを構成するセグメントが通信チャンネル上に送信される。受信側はこのセグメントを受信し、各セグメント及び当該パケットの誤り検出符号をチェックする。セグメントあるいはパケット全体に誤りが検出されると、受信側は送信側に否定的な応答（ｎｅｇａｔｉｖｅ  ａｃｋｎｏｗｌｅｄｇｅ）を送り、それと共に、良好な受信が行われるまで当該エラーセグメントあるいはパケット全体を送り返す。
【０００３】
このようなシステムでは、否定的な応答と再送要求に基づきエラーパケットの訂正が行われる。このため、追加的な通信が必要となり、全体のスループットを低減させことになる。また否定的な応答の通信には受信側から送信側へのバックチャンネル（ｂａｃｋ  ｃｈａｎｎｅｌ）が必要となる。このようなバックチャンネルは常に利用可能であるとは限らない。例えば、地上波、ケーブル及び衛星テレビ送信システムのような放送システムは、一方向のみのシステムである。
【０００４】
Ｗａｎらによる１９９９年１２月２２日発行の欧州特許公告ＥＰ  １  ０１４  ７３０  Ａ１「ＭＰＥＧ−２トランスポートストリームレイヤにおける順方向誤り訂正（ＦＯＲＷＡＲＤ  ＥＲＲＯＲ  ＣＯＲＲＥＣＴＩＯＮ  ＡＴ  ＭＰＥＧ−２  ＴＲＡＮＳＰＯＲＴ  ＳＴＲＥＡＭ  ＬＡＹＥＲ）」では、スーパーグループと名付けられたパケット群が蓄積され、誤り訂正符号がスーパーグループにおけるデータ上に生成されるＭＰＥＧパケットシステムが開示されいる。その後、誤り訂正符号データはパケット化され、付随的なパケットとしてパケットストリームに添えられる。適当に備えられた受信機が、このＭＰＥＧパケットと付随的に付加された誤り訂正符号パケットを受信し、受信したＭＰＥＧパケットのスーパーグループに誤り訂正を行う。
【０００５】
Ｒａｙｃｈａｕｄｈｕｒｉらによる１９９２年６月１６日発行の米国特許第５，１２２，８７５号「ＨＤＴＶ圧縮システム（ＡＮ  ＨＤＴＶ  ＣＯＭＰＲＥＳＳＩＯＮ  ＳＹＳＴＥＭ）」では、高優先ＭＰＥＧデータと低優先ＭＰＥＧデータを別々の変調キャリアにおいて各々のパケットストリームにより送信するパケット通信システムが開示されている。両方のパケットストリームにおける各パケットは、誤り訂正符号を含んでいる。さらに、各々の順方向誤り訂正符号が、両方のパケットストリームにおける連続するパケットブロックにおいて計算され、その後、パケットストリームに付加される。受信機では、順方向誤り訂正符号を使用して、各々の受信パケットストリームにおける誤り訂正が行われる。それから、両方のパケットストリームの各パケットの誤り検出符号が解析され、当該パケットにおけるエラーの有無が判断される。もしエラーが検出されれば、エラー隠蔽が実行される。例えば、ＭＰＥＧ映像データでは、エラーパケットが検出されると、エラーデータによる画像のひずみを防ぐため、当該パケットにより表される画像領域は更新されない。
【０００６】
すべての誤り訂正符号が最大数の誤りを訂正することができるということが知られている。この符号により補正可能なエラー数は、プロテクトされるデータビット数に対する符号ビット数に関係している。すなわち、より多くの誤りを訂正するためには、より多くの符号ビットが必要であり、この結果、オーバヘッドの増大と、通信システムのスループットの低下を招くことになる。１つ以上のパケットの消失の補正に十分な誤り訂正符号を選ぶことが可能である（ＥＰ  １  ０１４  ７３０  Ａ１では、９つまでの消失パケットと４．５個までのエラーパケットの補正が可能である）が、補正される消失パケット数には常に制限がある。この数より多くパケットが消失すると、誤り訂正符号がもともと計算されたパケットブロックにおけるすべてのパケットに影響が及ぶ。そのような場合、潜在的な画像劣化を最小限に止めるため、当該グループのパケットの何れも画像生成に利用しない。しかしながら、所定の数以上のパケットが消失しても、残りのパケットにおけるデータは利用可能であることが望ましい。
［発明の概要］
本発明の原理によると、パケットストリームは、パケット誤り訂正符号を当該パケットストリームの各パケットに付加し、ブロック誤り訂正符号を当該パケットストリームにおける複数のパケットからなる連続したブロックに付加することにより階層的にブロック符号化され、階層的誤り訂正符号化パケットストリームを生成する。その後、このパケットストリームは通信チャンネルを介し送信される。各ブロック誤り訂正符号に応答し、パケットの各ブロックにおいて誤りが訂正され、各パケット誤り訂正符号に応答し、各パケットにおける誤りが訂正される。
【０００７】
このようにパケット化されたデータストリームの誤り訂正符号化が、各パケットを符号化するＥＣＣとパケットのブロックを符号化するＥＣＣに分割される。パケットの各ブロック及び各パケット自身に対し、個々に誤り訂正符号化を含めることにより、所定の個数以上のパケットロスがあったとしても、あるレベルの誤り検出及び訂正を提供することができるということを発明者は認識している。すなわち、所定の個数以上のパケットの損傷あるいは消失が発生した場合、ブロック誤り訂正符号は訂正を実行することができなくなる。しかしながら、依然として、パケットのいくつかはそれに対応するパケット誤り訂正符号が訂正するのに十分少ない誤りを有している可能性がある。このため、パケットブロックにおける少なくともいくつかのパケットは、ブロック誤り訂正が実行されないにもかかわらず信頼性の高い情報を提供することが可能である。さらに、パケットＥＣＣ符号化のため、ブロック誤り訂正符号コードの強度、従ってその長さを低減させることが可能となるかもしれない。
【０００８】
パケットの各ブロック及び各パケット自身に対し、個々に誤り訂正符号化を含めることにより、パケットブロックを符号化することなく、各パケットに対しＥＣＣ符号化を実行することによって、より強力なコードの生成が可能になるということを発明者は認識している。パケット群に誤りが広がっている場合、各パケットのパケットＥＣＣ符号は当該パケットにおける比較的少ない誤りを扱うことができる。しかしながら、誤りがバースト的に発生すると、ほとんどのパケットが誤りのない状態になるが、１つのパケットはパケット誤り訂正符号が訂正することができる誤りより多くの誤りを持つようになるかもしれない。このような場合、ブロック誤り訂正符号はその１つのエラーパケットにおけるバースト的な誤りを訂正することができ、すべてのパケットが利用可能になるであろう。
［発明の詳細な説明］
図１ａは、本発明の原理を包含する通信システムの一部を示すブロック図である。図１ａでは、本発明の機能の実現及び理解に必要な構成要素のみが示されている。当業者は、とのようなシステムが他に多くの構成要素を含んでいるということ、構成要素がどのようなものであるかということ、そしてシステムを構成する構成要素の設計、実現及びそれら相互の接続方法を理解しているであろう。
【０００９】
図１ａにおいて、デジタルデータのソース（図示せず）が、パケットエンコーダ１０の入力端末に接続されている。このデータソースはデジタルデータの任意のソースであってよい。例えば、デジタルテレビ放送システムにおいて、データソースは、１つ以上のテレビ番組を表す映像、音声及び補助的情報を、既知の方法によりデジタルデータストリームに符号化するＭＰＥＧエンコーダであってもよい。パケットエンコーダ１０の出力端末は、ブロック誤り訂正符号（ＥＣＣ）エンコーダ２０に接続される。パケットエンコーダ１０とブロックＥＣＣエンコーダ２０を組み合わせたものが送信機の中に構成される。
【００１０】
ブロックＥＣＣエンコーダ２０の出力端末が、図１ａの破線に示されるように、通信チャンネルを介しブロックＥＣＣでコーダ３０の入力端末に接続される。ブロックＥＣＣでコーダ３０の出力端末は、パケットでコーダ４０の入力端末に接続される。パケットでコーダ４０の出力端末は受信手段の利用手段に接続される。例えば、デジタルテレビ受信機において、この利用手段はＭＰＥＧデコーダを備えてもよいし、受信映像データを表す画像及び受信音声データを表す音声を生成する他の既知のテレビ回路を備えてもよい。ブロックＥＣＣデコーダ３０とパケットでコーダ４０とを組み合わせたものが受信機の中に構成される。
【００１１】
図１ｂは、図１ａに示されるシステムの機能の理解に有益なパケット図である。その動作において、データソースからのデータバイト群は処理され、対応したパケット誤り訂正符号（ＥＣＣ）バイトが生成される。その後、パケットＥＣＣバイトはこの対応するデータバイト群に付加され、パケットエンコーダ１０の出力端末においてＥＣＣ符号化データパケットが生成される。より詳細には、各パケットが、データバイトフィールド及び当該データバイトフィールドに対応したパケットＥＣＣバイトフィールドとを含む固定長のバイトを含むよう生成される。パケットエンコーダ１０により生成されたパケットストリームは、さらにブロックＥＣＣエンコーダ２０により処理される。連続するパケットブロックにおけるバイトは、対応するブロックＥＣＣコードを生成するよう処理される。このブロックＥＣＣコードが、それが算出されたパケットブロックに付加される。例えば、このブロックには一定の個数のパケットが含まれ、ブロックＥＣＣコードは当該パケット群と対応付けされる。
【００１２】
図１ｂに示される実施例は、イーサネット（登録商標）ネットワーク接続上でのＭＰＥＧ２映像ストリームの搬送に関する。より詳細には、ＭＰＥＧ２規格によるトランスポートフレームは１８８バイトを含み、イーサネット（登録商標）規格によるイーサネット（登録商標）ペイロードは１５００バイトを含んでいる。例示された実施例において、ＭＰＥＧ２パケットを符号化するパケットエンコーダ１０で利用されるパケットＥＣＣコードは、既知の方法により（２０４，１８８）コードに短縮された（２５５，２３９）リードソロモン（Ｒｅｅｄ−Ｓｏｌｏｍｏｎ）コードである。これにより、結果として生じる各誤り訂正パケット（パケット１、…、パケットＮ）には、図１ｂに示されるように１８８ＭＰＥＧ２トランスポートフレームデータバイト（データ１、データ２、…、データＮ）と１６パケットＥＣＣバイト（ＥＣＣ１、ＥＣＣ２、…、ＥＣＣＮ）のトータル２０４バイトが含まれることになる。このような２０４バイトパケット７個からなるブロックが、すなわち１４２８バイトからなるブロックが、１５００バイトイーサネット（登録商標）ペイロードに含まれる。ＥＣＣ符号化パケットを符号化するブロックＥＣＣエンコーダ２０において利用されるブロックＥＣＣコードは、既知の方法により（１５００，１４３６）コードに短縮されたリードソロモン（２０４７，１９８３）コードである。８個のゼロのバイトが、ブロックＥＣＣコードにより要求される１４３６データバイトを構成する７個の２０４バイトパケットからの１４２８バイトに付加される。当該コードは、図１ｂに示されるように、７個のパケット群に付加される６４ＥＣＣバイト（ＢＬＯＣＫ  ＥＣＣ  ＣＯＤＥ）を生成する。
【００１３】
図１ｂに具体的な適用事例が例示されているが、任意の順方向誤り訂正（ＦＥＣ）ブロックコードが本発明によるシステムにおいて利用可能であり、採用された特定の誤り訂正符号、並びに各データパケットを構成するデータバイト数及びＥＣＣバイト数は任意であり、示された実施例は単なる例示であるということは当業者に理解されるであろう。また、任意のＦＥＣブロックコードが利用可能であり、採用される特定の誤り訂正符号、ブロックにおけるパケット数及びブロックＥＣＣにおけるバイト数は任意であり、示された実施例は単なる例示であるということは当業者に理解されるであろう。さらに、パリティあるいはＣＲＣのような誤り検出コード、あるいは他の誤り検出コードが、各パケットあるいは各パケット群に付加されうるということは当業者には理解されるであろう。
【００１４】
このパケットストリームがチャンネルを介し送信されるとき、パケットストリーム内のデータの損傷及び／あるいは完全なパケットの消失の可能性がある。ブロックＥＣＣでコーダ３０は、まず７個のパケットとブロックＥＣＣコードとの組み合わせを解析し、機知の方法により（可能であれば）当該パケットにおける誤りの検出及び訂正を行う。各々がデータとパケットＥＣＣバイトを含む誤り訂正パケットのストリームが、ブロックＥＣＣデコーダ３０の出力端末において生成される。その後、パケットでコーダ４０が各パケットにおけるデータとパケットＥＣＣバイトを解析し、既知の方法により（可能であれば）当該パケットにおける誤りの検出及び訂正を行う。これらのパケットから抽出された誤り訂正データストリームは、パケットデコーダ４０の出力端末において生成される。
【００１５】
示された実施例において、１６バイトパケットＥＣＣコードは、（データフィールド及びパケットＥＣＣフィールドの１８８バイトからなる）パケットにおける任意の８までのバイト誤りを訂正することができる。６４バイトブロックＥＣＣコードは、（７個のパケットの１４２８バイト、追加された８バイト、及び６４バイトのブロックＥＣＣコードからなる）ブロック内の任意の３２までのバイト誤りを訂正することができる。上述のように、パケットデータ通信システムにおいて、例えば、干渉、リピーターでのバッファオバーフローにより、送信機と受信機の間でときどきパケットが消失することがある。パケットの消失は、ブロックＥＣＣ符号により訂正不可能な２０４バイトエラーを引き起こす。しかしながら、残りの６個のパケットが受信されれば、これらパケットのそれぞれにおけるパケットＥＣＣ符合を利用して、受信パケットのそれぞれにおける８までのバイトエラーを補正することができる。このため、ブロックＥＣＣ符号が誤り訂正に効果がなかったとしても、これらのパケットはシステムにより利用されうる。
【００１６】
すべてのパケットが受信されたときでも、階層的ＥＣＣコードの利用は追加的な誤り訂正を提供する。ブロックＥＣＣを使ってパケットブロックの誤り訂正が行われ、各パケットはさらに、それのパケットＥＣＣ符号により誤り訂正される。ブロックＥＣＣ符号化は同様のものであるので、示された実施例は（上述の）既存の標準的システムに組み込むことができるということは当業者には認識されるであろう。各パケットの内部調整のみが変更される。
【００１７】
ＭＰＥＧデジタル放送システムの環境に関し開示されたが、例えば、インターネットのようなコンピュータ接続システム、あるいはデジタル携帯電話において利用されるパケットスイッチ通信システムのような任意のパケットデータシステムにおいて本発明が利用可能であるということは当業者には理解されるであろう。このようなシステムは、比較的小さなパケットを使用するパケット通信システムにおいて特に好適である。さらなる誤り検出及び／あるいは訂正符号化が、本発明の誤り符号化に連結可能であるということは当業者には理解されるであろう。例えば、パリティやＣＲＣのような既知の誤り検出符号が各パケットに付加され、当該パケットのエラーの有無を示すよう構成されてもよい。
【図面の簡単な説明】
【００１８】
【図１ａ】図１ａは、本発明の原理を組み込んだ通信システムの一部を表すブロック図である。
【図１ｂ】図１ｂは、図１ａの通信システムにより通信されるパケットストリームの内容を示すパケット図である。
【図１ａ】
2005512352.tif 000003
【図１ｂ】
2005512352.tif 000004
【国際調査報告】
2005512352.tif 000005
2005512352.tif 000006
2005512352.tif 000007